(57)【要約】【課題】  狭い空間であっても工具を用いないで分割保温材同士を容易に連結可能とする原子力プラント配管用分割保温材の施工方法及び分割保温材用連結金具を提供することにある。【解決手段】  連結金具４０は、配管１０の軸方向で隣接する一方の分割保温材２０に設けられた雄部材である摺動ロッド部５０と、他方の分割保温材２０に設けられた雌部材である受け金具７０とからなっている。そして、該摺動ロッド部５０は、連結時に受け金具７０に係合される摺動ロッド５１と、該摺動ロッド５１に螺合するようにして設けられた固定ピン５５と、連結時に該固定ピン５５の先端部５６と係合する係合孔６１を備えたベース板６０からなる。【選択図】  図２
2008232237.tif 000002
【特許請求の範囲】
【請求項１】
原子力プラント配管の外周を配管の軸方向及び円周方向で分割された分割保温材により被覆施工する原子力プラント配管用分割保温材の施工方法であって、
前記分割保温材を円周方向に並べて隣接する分割保温材同士を分割保温材に取付けた掛止め式金具により連結し、円周方向で連結された分割保温材同士を軸方向で連結するときに、一方の分割保温材に設けられた摺動ロッドを摺動させて他方の分割保温材に設けられた受け金具に係合させた後、前記摺動ロッドに設けられた固定ピンを螺動させて固定ピン下方に設けられた係合孔に固定ピンの先端を係合させることを特徴とする原子力プラント配管用分割保温材の施工方法。
【請求項２】
前記摺動ロッドまたは受け金具の少なくともいずれか一方に高さ調整機能を設けたことを特徴とする請求項１記載の原子力プラント配管保温装置の施工方法。
【請求項３】
原子力プラント配管の外周を保温する分割保温材の連結金具であって、
該連結金具は原子力プラント配管の軸方向で隣接する分割保温材の一方に設けられた摺動ロッド部と、分割保温材の他方に設けられた受け金具とからなり、前記摺動ロッド部には連結時に受け金具に係合される摺動ロッドと、該摺動ロッドに設けられた固定ピンと、連結時に固定ピンの先端部と係合する係合孔を備えたベース板からなることを特徴とする原子力プラント配管用分割保温材の連結金具。
【請求項４】
前記固定ピンは摺動ロッドに螺合され、該固定ピンの先端部には止め金具を設けると共に、前記摺動ロッドの配管側にザグリ孔を設けたことを特徴とする請求項３記載の原子力プラント配管用分割保温材の連結金具。
【請求項５】
前記摺動ロッドまたは受け金具の少なくともいずれか一方に高さ調整機能を設けたことを特徴とする請求項３または４記載の原子力プラント配管用分割保温材の連結金具。
【発明の詳細な説明】
【技術分野】
【０００１】
本発明は、原子力プラント配管用分割保温材の施工方法及び原子力プラント配管用分割保温材用連結金具に関するものである。
【背景技術】
【０００２】
特許第２６５５２５４号には、原子力プラント配管用分割保温材の施工方法において、隣接する分割保温材同士を配管の軸方向で連結する場合、一方の分割保温材に設けられた第１金具の摺動ロッドを摺動自在に支持する持受体に、操作ハンドルが支軸を支点として回動自在に設けられ、前記操作ハンドルの回動操作により摺動ロッドが前後に摺動されて他方の分割保温材に設けられた第２金具に係合されて連結される構造が記載されている。
また、実開平０７−０２９３９９号及び実公平０６−０４５７５８号も特許第２６５５２５４号同様に、一方の分割保温材に設けられた第１金具の操作ハンドルを回動させて、他方の分割保温材に設けられた第２金具に係合されて連結される構造が記載されている。
【０００３】
【特許文献１】特許第２６５５２５４号公報
【特許文献２】実開平０７−０２９３９９号公報
【特許文献３】実公平０６−０４５７５８号公報
【発明の開示】
【発明が解決しようとする課題】
【０００４】
しかし、上記特許文献１〜３には以下のような問題点を有している。
それぞれの公報に記載された第１金具に設けられた操作ハンドルを回動させる為には、操作ハンドルの先端部に設けられた孔に金属棒を差し込み、金属棒を引き上げることにより分割保温材同士の連結を解除し、金属棒を引き下げることにより分割保温材同士を連結しなければならない。回動動作時において、操作ハンドルの先端部分が干渉しないようなスペースが必要であり、また操作ハンドルの回動動作には大きな力が必要であり、金属棒などの工具を用いなければならなかった。さらに、原子力プラント配管などの作業現場では工具等の持ち込みが制限されているため、作業場の不具合が生じることがあった。
【０００５】
そこで、本発明は、このような課題を解決するために、狭い空間であっても工具を用いないで分割保温材同士を容易に連結可能とする原子力プラント配管用分割保温材の施工方法及び分割保温材用連結金具を提供することを目的としたものである。
【課題を解決するための手段】
【０００６】
上記目的を達成するために、第１の発明は、原子力プラント配管の外周を配管の軸方向及び円周方向で分割された分割保温材により被覆施工する原子力プラント配管用分割保温材の施工方法であって、分割保温材を円周方向に並べて隣接する分割保温材同士を分割保温材に取付けた掛止め式金具により連結し、円周方向で連結された分割保温材同士を軸方向で連結するときに、一方の分割保温材に設けられた摺動ロッドを摺動させて他方の分割保温材に設けられた受け金具に係合させた後、前記摺動ロッドに設けられた固定ピンを螺動させて固定ピン下方に設けられた係合孔に固定ピンの先端を係合させる原子力プラント配管用分割保温材の施工方法である。
第２の発明は、摺動ロッドまたは受け金具の少なくともいずれか一方に高さ調整機能を設けた原子力プラント配管保温装置の施工方法である。
第３の発明は、原子力プラント配管の外周を保温する分割保温材の連結金具であって、
連結金具は原子力プラント配管の軸方向で隣接する分割保温材の一方に設けられた摺動ロッド部と、分割保温材の他方に設けられた受け金具とからなり、摺動ロッド部には連結時に受け金具に係合される摺動ロッドと、摺動ロッドに設けられた固定ピンと、連結時に固定ピンの先端部と係合する係合孔を備えたベース板からなる原子力プラント配管用分割保温材の連結金具である。
第４の発明は、固定ピンは摺動ロッドに螺合され、固定ピンの先端部には止め金具を設けると共に、摺動ロッドの配管側にザグリ孔を設けた原子力プラント配管用分割保温材の連結金具である。
第５の発明は、摺動ロッドまたは受け金具の少なくともいずれか一方に高さ調整機能を設けた原子力プラント配管用分割保温材の連結金具である。
【発明の効果】
【０００７】
上記発明によれば、以下のような効果を有する。
第１及び第３の発明によれば、摺動ロッドを摺動させて受け金具に係合させることにより、原子力プラント配管の軸方向に隣接する分割保温材同士を工具なしで連結可能とすると共に、回動式の操作ハンドルの様に高さ方向の作業空間が狭くても、容易に作業が出来る構造となっている。
第２及び第５の発明によれば、摺動ロッド部または受け金具の少なくともいずれか一方に高さ調整機能を設けることにより、配管表面の凹凸などの影響により隣接する分割保温材同士の表面高さが違ったときに、これを調整することにより摺動ロッドが受け金具の係合部に容易に係合させることが出来る。
第４の発明によれば、固定ピンが摺動ロッドから外れて原子力プラント配管が設置されている室内において、異物が原因となるトラブルを未然に防止できると共に、摺動ロッドの配管側に設けられたザグリ孔に止め金具及び固定ピンの先端部までを収納させ、摺動ロッドの摺動時における動作不良及び噛み付きを防止している。
【発明を実施するための最良の形態】
【０００８】
本発明の実施形態を図面に基づいて説明する。
図１は、原子力プラント配管における保温材の施工状態を示す説明用斜視図である。
図１に示すように、原子力プラント配管１０（以下「配管１０」）の外周は、配管１０の軸方向及び円周方向で分割された分割保温材２０，２０，…により被覆施工されている。そして、それぞれ隣接する分割保温材２０同士は、金具によって連結される構造となっている。この場合、分割保温材２０を円周方向に並べて隣接する分割保温材２０同士は、各々分割保温材２０に取付けた掛止め式金具３０によって連結され、この円周方向で連結された分割保温材２０同士は連結金具４０によって軸方向で連結される。以下、後者の連結金具４０について詳細に説明する。
【０００９】
図２は、連結金具４０を示す説明用斜視図であり、図３は、連結金具４０の長手方向の断面図である。まず、連結金具４０の構造について説明する。
図２及び図３に示すように、連結金具４０は、配管１０の軸方向で隣接する一方の分割保温材２０に設けられた雄部材である摺動ロッド部５０と、他方の分割保温材２０に設けられた雌部材である受け金具７０とからなっている。
摺動ロッド部５０は、凹状の溝部５４を有する外装ケース５３に、連結時に受け金具７０に係合される摺動ロッド５１と、該摺動ロッド５１に螺合するようにして設けられた固定ピン５５と、連結時に該固定ピン５５の先端部５６と係合する係合孔６１を備えたベース板６０からなるものである。また、固定ピンの先端部５６には、止め金具５７を設けると共に摺動ロッド５１の配管１０側にザグリ孔５２を設けている。
一方、受け金具７０は、摺動ロッド５１と係合するために外装ケース７２を備え、摺動ロッド５１が挿脱可能な挿通孔７１を有している。
なお、摺動ロッド部５０及び受け金具７０は、いずれも分割保温材２０に締結具８０等によって固定されている。
【００１０】
次に、連結金具４０の動作について説明する。
摺動ロッド５１は、固定ピン５５を用いることで摺動ロッド部５０内を長手方向に摺動自在となっている。連結金具４０を連結状態にする場合は、摺動ロッド５１を受け金具７０側に摺動させて摺動ロッド５１を受け金具７０の挿通孔７１に挿通させた後、摺動ロッド５１に螺合された固定ピン５５を回転させて先端部５６をベース板６０の係合孔６１に係合させる。
また、連結金具４０の連結状態を解除する場合には、固定ピン５５を逆回転させて先端部５６をベース板６０の係合孔６１から出した後、摺動ロッド５１を受け金具７０側と反対方向に摺動させて摺動ロッド５１を受け金具７０の挿通孔７１から抜脱させる。
この場合、前記特許文献１ないし３に示されるようなレバー式の連結金具と異なり、固定ピン５５を水平方向に作動させるだけなので、連結金具４０の連結作業のためのスペースを省スペース化でき、作業にし難い場所での連結あるいは解除作業を容易に行うことが出来る。また、連結金具４０の連結作業のために別途工具等を必要としないので、原子力プラント内における工具の落下、置き忘れがなく作業の安全性・確実性を確保できる。
【００１１】
なお、固定ピン５５の先端部５６には止め金具５７を設けているので、固定ピン５５が摺動ロッド５１から脱落することを防止できる。また、摺動ロッド５１のザグリ孔５２に止め金具５７及び固定ピン５５の先端部５６までを収納させるようにしているので、摺動ロッド５１の摺動時における動作不良及び噛み付きを防止できる。
【００１２】
図４は、連結金具４０のその他の実施形態を示す説明図である。
配管１０に施工されるそれぞれの分割保温材２０の表面高さは、施工される配管１０の表面精度あるいは各々の分割保温材２０の製作精度により異なる場合が生じる。隣接する分割保温材の高さが異なる場合であっても、容易に摺動ロッド５１が受け金具７０に挿通出来る様に、図４に示す連結金具４０の受け金具７０には、分割保温材２０に固定するための締結具８０，８０，…の他に、高さ調整用の支持具８５，８５を設けている。この支持具８５は、受け金具７０と螺合する構造となっており、任意の高さで受け金具７０を支持できるものである。これによって、配管１０表面の凹凸などの影響により隣接する分割保温材２０同士の表面高さが違ったときでも、受け金具７０の高さを調整することにより摺動ロッド５１が受け金具７０の挿通孔７１に容易に係合させることができる。また、このように受け金具７０に設けた高さ調整機構は、摺動ロッド部５０に設けるようにしても良い。
【産業上の利用可能性】
【００１３】
本発明は、原子力プラント配管の外周を被覆する分割保温材の軸方向（長手方向）の連結金具として、広く利用できるものである。
【図面の簡単な説明】
【００１４】
【図１】原子力プラント配管用保温材の施工状態を示す説明用斜視図。
【図２】連結金具を示す説明用斜視図。
【図３】連結金具の長手方向の断面図。
【図４】連結金具のその他の実施形態を示す説明用斜視図。
【符号の説明】
【００１５】
１０  原子力プラント配管
２０  分割保温材
３０  掛止め式金具
４０  連結金具
５０  摺動ロッド部    ５１  摺動ロッド    ５２  ザグリ孔    ５３  外装ケース
５４  溝部            ５５  固定ピン      ５６  先端部      ５７  止め金具
６０  ベース板        ６１  係合孔
７０  受け金具        ７１  挿通孔        ７２  外装ケース
８０  締結具          ８５  支持具
【図１】
2008232237.tif 000003
【図２】
2008232237.tif 000004
【図３】
2008232237.tif 000005
【図４】
2008232237.tif 000006